(57)【要約】【課題】データ誤りが多い場合においても、誤り訂正不能の発生を低減させることを目的とする。【解決手段】上記の課題を解決するために、本発明のデータ記録再生装置では以下のような技術手段を採用する。第１の誤り訂正符号による誤り訂正にて誤り訂正不能が発生した場合は、第２の誤り訂正符号を読み出し、第２の誤り訂正符号による誤り訂正を行う。第１の誤り訂正符号による誤り訂正が訂正不能になっても第２の誤り訂正符号による誤り訂正を行うことが可能なため、誤り訂正不能の発生を低減させることができる。【選択図】  図１
2010176715.tif 000002
【特許請求の範囲】
【請求項１】
データに対して所定のデータ数を誤り訂正符号化する第１の符号化と、第１の誤り訂正符号化と異なるデータ系列で誤り訂正符号化を行う第２の符号化を行い、所定の変調を行いデータ記録媒体に記録し、第２の誤り訂正符号を記録したことを示すフラグを所定の位置に記録することを特徴とするデータ記録方法。
【請求項２】
データ記録媒体からデータを再生する再生装置であって、
第１の誤り訂正手段と、
第２の誤り訂正手段と、
第２の誤り訂正符号が記録されていることを示すフラグを読み出す手段を備え、
前記データ記録媒体には、データに対して所定のデータ数を誤り訂正符号化する第１の符号化と、第１の誤り訂正符号化と異なるデータ系列で誤り訂正符号化を行う第２の符号化とが行われ、所定の変調が行われたデータが記録され、第２の誤り訂正符号を記録したことを示すフラグが所定の位置に記録されており、
前記第１の誤り訂正手段により誤り訂正不能が発生し、かつ前記フラグが第２の誤り訂正符号が記録されていることを示す場合には、前記第２の誤り訂正手段により誤り訂正を行うことを特徴とするデータ再生装置。
【請求項３】
データ記録媒体にデータを記録する記録装置であって、
データに対して所定のデータ数を誤り訂正符号化する第１の誤り訂正符号付加手段と、
前記第１の誤り訂正符号化と異なるデータ系列で誤り訂正符号化を行う第２の誤り訂正符号付加手段と、
第２の誤り訂正符号を記録したことを示すフラグを書き込む手段を備え、
前記第１の誤り訂正符号付加手段により誤り訂正を付加し、次に前記第２の誤り訂正符号付加手段により誤り訂正を付加し、第２の誤り訂正符号を記録したことを示すフラグを書き込むことを特徴とするデータ記録装置。
【請求項４】
データ記録媒体にデータを記録再生する記録再生装置であって、
第１の誤り訂正手段と、
第２の誤り訂正手段と、
第２の誤り訂正符号が記録されていることを示すフラグを読み出す手段と、
データに対して所定のデータ数を誤り訂正符号化する第１の誤り訂正符号付加手段と、
前記第１の誤り訂正符号化と異なるデータ系列で誤り訂正符号化を行う第２の誤り訂正符号付加手段と、
第２の誤り訂正符号を記録したことを示すフラグを書き込む手段を備え、
前記第１の誤り訂正符号付加手段により誤り訂正符号付加し、所定の変調を行いデータ記録媒体に記録し、データ再生時にデータの誤り数が或る閾値を越えた場合、あるいはリトライが発生した場合は、前記第２の誤り訂正符号付加手段により誤り訂正符号および前記フラグを付加することを特徴とするデータ記録再生装置。
【発明の詳細な説明】
【技術分野】
【０００１】
本発明は、記録媒体にデータを記録又は再生する方法又は装置に関する。
【背景技術】
【０００２】
本技術分野の背景技術としては、例えば特許文献１（特開２００４−１４６０１４号公報）がある。本公報には「所定のデータに対して誤り訂正符号化し、記録または伝送するデータに対して、データ構成の互換性を確保した上で、更なる誤り訂正符号を付加して訂正能力を高め、再生データの信頼性を向上させることが可能となる。」と記載されている。
【０００３】
【特許文献１】特開２００４−１４６０１４号公報
【発明の開示】
【発明が解決しようとする課題】
【０００４】
光ディスクの代表例としてＣＤ（Ｃｏｍｐａｃｔ Ｄｉｓｃ）、ＤＶＤ（Ｄｉｇｉｔａｌ Ｖｅｒｓａｔｉｌｅ Ｄｉｓｃ）、ＢＤ（Ｂｌｕ−ｒａｙ  Ｄｉｓｃ）がある。これらの光ディスクの再生装置では、ＳＲＡＭ（Ｓｔａｔｉｃ ＲＡＭ）やＤＲＡＭ（Ｄｙｎａｍｉｃ ＲＡＭ）がデータの誤り訂正用メモリやバッファメモリとして使用されている。
【０００５】
例えば、ＢＤの誤り訂正ブロックは６４ｋバイトのデータを単位に構成されており、このデータに付加されている誤り訂正符号はＲｅｅｄ−Ｓｏｌｏｍｏｎ Ｃｏｄｅである。データは、１バイト単位に区切られ、データ２１６バイトに対して誤り訂正符号３２バイトが付加される。この２１６＋３２＝２４８バイトをコードワードと呼び、３０４個集めた上でインタリーブが施されて１５２×４９６ＥＣＣブロックが構成される。さらにこのＥＣＣブロックにシンクコードとＢＩＳ（Ｂｕｒｓｔ  Ｉｎｄｉｃａｔｏｒ  Ｓｕｂｃｏｄｅ）と呼ばれる強力な誤り訂正符号付きのデータが埋め込まれている。ＢＩＳにはデータ３０バイトに対して誤り訂正符号３２バイトが付加されており、ＢＤではＢＩＳによりバースト誤りの位置を予知してエラー訂正をすることにより訂正能力を高めている。なお、ＢＩＳのデータ３０バイトには５バイトのアドレス情報と４バイトの誤り訂正符号が含まれている。
【０００６】
データ再生を行うには、まず光ディスクから再生したデータを復調回路で１−７ＰＰ（Ｐａｒｉｔｙ  Ｐｒｅｓｅｒｖｅ）復調してメモリに格納する。次に格納したデータのインタリーブを解いて誤り訂正を行った後、デスクランブルを行う。誤り訂正とデスクランブルの完了したデータはＡＴＡＰＩを介してホストコンピュータに送られる。
【０００７】
誤り訂正不能が発生した場合にはリトライと呼ばれるデータの再読み出し処理を行い、再度データ再生を試みるが、リトライを繰り返しても誤り訂正不能が解消せず所定時間内にデータ再生が完了しない場合には、リードエラーとなる。
【０００８】
特許文献１では、所定のデータに対して誤り訂正符号化し、記録または伝送するデータに対して、データ構成の互換性を確保した上で、更なる誤り訂正符号を付加して訂正能力を高め、再生データの信頼性を向上させている。これにより、誤り訂正不能の発生を低減させることができる。
【０００９】
ところで、ＤＶＤやＢＤにはディスク１枚当たりのデータ容量を増やすために記録層が２層あるディスクが存在し、さらにＢＤでは記録層が２層を超える多層ディスクの発表も行われている。
【００１０】
一般に、多層の光ディスクは単層の光ディスクに比べて、各層通過毎に透過率が下がるため再生信号が小さくなることや前後の記録層からの不要な信号の影響も受けることによりデータ誤りが多くなる。
【００１１】
しかしながら、特許文献１は、データ構成の互換性を確保した上で、更なる誤り訂正符号を付加して訂正能力を高め、再生データの信頼性を向上させているが、特に多層におけるデータの信頼性の向上を意図したものではない。
【００１２】
本発明は、多層の光ディスクのようにデータ誤りが多い場合においても、誤り訂正不能の発生を低減させることを目的とする。
【課題を解決するための手段】
【００１３】
上記目的は、その一例として、ユーザデータとは別領域に記録された誤り訂正符号を使って訂正することで達成できる。
【発明の効果】
【００１４】
本発明によれば、データ再生時の誤り訂正不能の発生を低減できる。
【発明を実施するための最良の形態】
【００１５】
以下、本発明をＢＤ再生装置に適用した場合の実施例を説明する。
【実施例１】
【００１６】
図１は本発明の第１の実施例であるＢＤ再生装置の構成を示すブロック図である。１は光ディスクである。２は光ピックアップであり、光ディスク１から信号を読み出してＡＦＥ３に送る。３はＡＦＥ（Ａｎａｌｏｇ  Ｆｒｏｎｔ  Ｅｎｄ）であり、光ピックアップ２を介して光ディスク１から読み出した再生信号を増幅して復調回路４に送る。４は復調回路であり、入力信号を１−７ＰＰ復調してデインタリーブ回路５に送る。５はデインタリーブ回路であり、復調回路４から送られたデータのインタリーブを解き、ＤＲＡＭ６に書き込む。６はＤＲＡＭであり、誤り訂正用メモリやバッファメモリとして使用する。７は第１の誤り訂正回路であり、ＤＲＡＭ６からデータを読み出して誤り訂正を行いＤＲＡＭ６に書き込む。８はデスクランブル回路であり、誤り訂正が完了したデータのスクランブルを解いてＡＴＡＰＩ回路９に送る。９はＡＴＡＰＩ回路であり、デスクランブル回路８から送られたデータをホストコンピュータに送る。１０はＣＰＵであり、第２の誤り訂正回路１１により誤り訂正を行うかどうかを切り換える。１１は第２の誤り訂正回路であり、第１の誤り訂正回路７では訂正できなかったデータの誤り訂正を行う。
【００１７】
ＢＤからデータを再生する場合、光ピックアップ２を介して光ディスク１から読み出した再生信号を、まずＡＦＥ３にて増幅し、次に復調回路４で１−７ＰＰ復調する。次にデインタリーブ回路５でインタリーブを解いてＤＲＡＭ６に格納する。そして第１の誤り訂正回路７がＤＲＡＭ６に格納したデータの誤り訂正を行う。誤り訂正が完了したデータをデスクランブル回路８でスクランブルを解き、ＡＴＡＰＩ回路９を介してホストコンピュータに出力する。
【００１８】
もしも第１の誤り訂正回路７にて誤り訂正不能が発生した場合は、所定の領域に記録された第２の誤り訂正符号が付加されたデータであることを示すフラグを読み出し、ＣＰＵ１０がそれに従って制御する。第２の誤り訂正符号が付加されていないデータであれば、リトライを行う。第２の誤り訂正符号が付加されたデータであれば、第２の誤り訂正回路１１で誤り訂正を行う。誤り訂正不能が解消した場合は、再び第１の誤り訂正回路７で誤り訂正を行い、こちらでも誤り訂正不能が解消した場合は、データをデスクランブル回路８、ＡＴＡＰＩ回路９を介してホストコンピュータに出力する。訂正不能が解消しない場合はリトライを行う。
【００１９】
なお、第２の誤り訂正回路１１で訂正不能が解消した後の第１の誤り訂正回路７で行うのは誤り訂正ではなくＥＤＣ（Ｅｒｒｏｒ  Ｄｅｔｅｃｔｉｏｎ  Ｃｏｄｅ）演算でも良い。
【００２０】
図２は本発明の第１の実施例であるＢＤ再生装置の誤り訂正処理手順を示すフローチャートである。
【００２１】
ＢＤからデータを読み出してＤＲＡＭに格納し、第１の誤り訂正符号により誤り訂正を行う。誤り訂正結果が訂正不能でなければ誤り訂正処理を終了するが、訂正不能の場合は所定の領域に記録された第２の誤り訂正符号が付加されているかどうかを示すフラグを読み出し、それに従って制御する。第２の誤り訂正符号が付加されていないデータであれば、リトライへ移行する。第２の誤り訂正符号が付加されたデータであれば、第２の誤り訂正符号を読み出し、第２の誤り訂正回路で誤り訂正を行う。誤り訂正不能が解消した場合は、再び第１の誤り訂正回路で誤り訂正を行い、こちらでも誤り訂正不能が解消した場合は、誤り訂正処理を終了する。訂正不能が解消しない場合はリトライへ移行する。
【００２２】
図３は本発明の第１の実施例であるＢＤ再生装置で再生するディスクのデータ配置を示す図である。
【００２３】
ディスクは多層構造となっており、Ｌａｙｅｒ０、Ｌａｙｅｒ１、Ｌａｙｅｒ２には各々データと第１の誤り訂正符号Ｐａｒｉｔｙ１が記録されている。Ｌａｙｅｒ３にはＬａｙｅｒ０、Ｌａｙｅｒ１、Ｌａｙｅｒ２の第２の誤り訂正符号Ｐａｒｉｔｙ２が記録されている。
【００２４】
例えば、Ｌａｙｅｒ０のＥＣＣブロックＮのデータ再生では、まずＬ０＿ＤａｔａＮ＋Ｐａｒｉｔｙ１を読み出し、第１の誤り訂正符号Ｐａｒｉｔｙ１によりＬａｙｅｒ０のＥＣＣブロックＮの誤り訂正を行う。訂正不能が発生した場合はＬａｙｅｒ３の第２の誤り訂正符号Ｌ０＿Ｐａｒｉｔｙ２により誤り訂正を行う。
【００２５】
図４は本発明の第１の実施例であるＢＤ再生装置で再生するディスクのＥＣＣブロック構造を示す図である。
【００２６】
第１の誤り訂正系列と第２の誤り訂正系列が直行するように配置してあり、第１の誤り訂正符号Ｐａｒｉｔｙ１で訂正不能が発生した場合は第２の誤り訂正符号Ｐａｒｉｔｙ２で誤り訂正を行う。
【００２７】
なお、第２の誤り訂正系列は必ずしも第１の誤り訂正系列と直行する必要はない。
【００２８】
以上の構成により本発明の第１の実施例では、まず第１の誤り訂正符号による誤り訂正を行い、誤り訂正不能が発生した場合は第２の誤り訂正符号を読み出し、第２の誤り訂正符号による誤り訂正を行う。第１の誤り訂正符号による誤り訂正が訂正不能になっても第２の誤り訂正符号による誤り訂正を行うことが可能なため、データの信頼性を高めることができる。
【実施例２】
【００２９】
図５は本発明の第２の実施例であるＢＤ記録再生装置の構成を示すブロック図である。図１と同一のものは説明を省略する。２１は記録再生可能な光ディスクである。２２は光ピックアップであり、光ディスク２１から信号を読み出してＡＦＥ３に送る。また、変調回路２４から送られた１―７ＰＰ変調信号を光ディスク２１に記録する。２４は変調回路であり、インタリーブ回路２５から送られたデータを１―７ＰＰ変調して光ピックアップ２２に送る。２５はインタリーブ回路であり、ＤＲＡＭ２６から読み出したデータにインタリーブを施し、変調回路２４に送る。２６はＤＲＡＭであり、誤り訂正用メモリ、誤り訂正符号付加メモリ、およびバッファメモリとして使用する。２７は第１の誤り訂正および誤り訂正符号付加回路であり、ＤＲＡＭ２６からデータを読み出して誤り訂正を行いＤＲＡＭ２６に書き込む。また、ＤＲＡＭ２６からデータを読み出して誤り訂正符号付加を行いＤＲＡＭ２６に書き込む。３０はＣＰＵであり、第２の誤り訂正および誤り訂正符号付加回路３１により誤り訂正を行うかどうかを切り換える。また、第２の誤り訂正および誤り訂正符号付加回路３１により第２の誤り訂正符号を付加するかどうかを切り換える。３１は第２の誤り訂正および誤り訂正符号付加回路であり、第１の誤り訂正および誤り訂正符号付加回路２７では訂正できなかったデータの誤り訂正を行う。また、第１の誤り訂正および誤り訂正符号付加回路２７により付加された第１の誤り訂正符号に加えて、第２の誤り訂正符号を付加する。２８はスクランブル回路であり、ＡＴＡＰＩ回路２９から送られたデータにスクランブルを施しＤＲＡＭ６に書き込む。２９はＡＴＡＰＩ回路であり、デスクランブル回路８から送られたデータをホストコンピュータに送る。また、ホストコンピュータから送られたデータをスクランブル回路２８に送る。
【００３０】
ＢＤからデータを再生する場合、光ピックアップ２２を介して光ディスク２１から読み出した再生信号を、まずＡＦＥ３にて増幅し、次に復調回路４で１−７ＰＰ復調する。次にデインタリーブ回路５でインタリーブを解いてＤＲＡＭ２６に格納し、第１の誤り訂正および誤り訂正符号付加回路２７がＤＲＡＭ２６に格納したデータの誤り訂正を行う。誤り訂正が完了したデータをデスクランブル回路８でスクランブルを解き、ＡＴＡＰＩ回路２９を介してホストコンピュータに出力する。
【００３１】
もしも第１の誤り訂正および誤り訂正符号付加回路２７にて誤り訂正不能が発生した場合は、所定の領域に記録された第２の誤り訂正符号が付加されたデータであることを示すフラグを読み出し、ＣＰＵ３０がそれに従って制御する。第２の誤り訂正符号が付加されていないデータであれば、リトライを行う。第２の誤り訂正符号が付加されたデータであれば、第２の誤り訂正および誤り訂正符号付加回路３１で誤り訂正を行う。誤り訂正不能が解消した場合は、再び第１の誤り訂正および誤り訂正符号付加回路２７で誤り訂正を行い、こちらでも誤り訂正不能が解消した場合は、データをデスクランブル回路８、ＡＴＡＰＩ回路２９を介してホストコンピュータに出力する。訂正不能が解消しない場合はリトライを行う。
【００３２】
ＢＤにデータを記録する場合、ＡＴＡＰＩ回路２９を介してホストコンピュータから送られたデータに、まずスクランブル回路２８でスクランブルを施してＤＲＡＭ２６に格納する。次に第１の誤り訂正および誤り訂正符号付加回路２７によりＤＲＡＭ２６に格納したデータに第１の誤り訂正符号付加を行う。更に第２の誤り訂正符号付加を行う場合は、第１の誤り訂正符号付加を行った後にＤＲＡＭ２６からデータ読み出し、第２の誤り訂正符号を付加する。誤り訂正符号付加が完了したデータは、インタリーブ回路２５でインタリーブを施し、変調回路２４に送る。そして変調回路２４から光ピックアップ２２に１―７ＰＰ変調信号を送り、光ディスク２１に記録する。第２の誤り訂正符号付加を行った場合は、第２の誤り訂正符号が付加されているかどうかを示すフラグを光ディスク２１の所定の領域に記録する。
【００３３】
なお、第２の誤り訂正符号の付加は第１の誤り訂正符号付加を行った直後にＥＣＣブロック単位で行わずに、一連の記録が終了した後にまとめて行っても良い。
【００３４】
図６は本発明の第２の実施例であるＢＤ記録再生装置の誤り訂正符号付加処理手順を示すフローチャートである。
【００３５】
ホストから送られたデータにスクランブルを施してＤＲＡＭに格納し、第１の誤り訂正系列に従ってデータを読み出し、第１の誤り訂正符号を付加する。更に第２の誤り訂正符号を付加する場合は第２の誤り訂正系列に従ってデータを読み出し、第２の誤り訂正符号を付加する。次に第２の誤り訂正符号を付加したことを示すフラグを書き込む。
【００３６】
ディスクは多層構造となっており、Ｌａｙｅｒ０、Ｌａｙｅｒ１、Ｌａｙｅｒ２には各々データと第１の誤り訂正符号Ｐａｒｉｔｙ１を記録する。Ｌａｙｅｒ３にはＬａｙｅｒ０、Ｌａｙｅｒ１、Ｌａｙｅｒ２の第２の誤り訂正符号Ｐａｒｉｔｙ２を記録する。
【００３７】
以上の構成により本発明の第２の実施例では、データに第１の誤り訂正符号を付加した後に第２の誤り訂正符号を付加する。第１の誤り訂正符号に第２の誤り訂正符号を付加することにより更に訂正能力を向上させ、データの信頼性を高めることができる。
【実施例３】
【００３８】
図７は本発明の第３の実施例であるＢＤ記録再生装置の構成を示すブロック図である。
【００３９】
図５と同一のものは説明を省略する。４７は第１の誤り訂正および誤り訂正符号付加回路であり、ＤＲＡＭ２６からデータを読み出して誤り訂正を行いＤＲＡＭ２６に書き込む。同時にデータの誤り数をＣＰＵ５０に出力する。また、ＤＲＡＭ２６からデータを読み出して誤り訂正符号付加を行いＤＲＡＭ２６に書き込む。５０はＣＰＵであり、第２の誤り訂正および誤り訂正符号付加回路３１により誤り訂正を行うかどうかを切り換える。また、第２の誤り訂正および誤り訂正符号付加回路３１により第２の誤り訂正符号を付加するかどうかを切り換える。例えば第１の誤り訂正および誤り訂正符号付加回路４７が出力するデータの誤り数が或る閾値を越えたら第２の誤り訂正符号を付加するようにする。あるいは、第１の誤り訂正により１回で訂正できずにリトライを行った場合は第２の誤り訂正符号を付加するようにする。
【００４０】
ＢＤからデータを再生する場合、光ピックアップ２２を介して光ディスク２１から読み出した再生信号を、まずＡＦＥ３にて増幅し、次に復調回路４で１−７ＰＰ復調する。次にデインタリーブ回路５でインタリーブを解いてＤＲＡＭ２６に格納し、第１の誤り訂正および誤り訂正符号付加回路４７がＤＲＡＭ２６に格納したデータの誤り訂正を行う。誤り訂正が完了したデータをデスクランブル回路８でスクランブルを解き、ＡＴＡＰＩ回路２９を介してホストコンピュータに出力する。
【００４１】
もしも第１の誤り訂正および誤り訂正符号付加回路４７にて誤り訂正不能が発生した場合は、所定の領域に記録された第２の誤り訂正符号が付加されたデータであることを示すフラグを読み出し、ＣＰＵ５０がそれに従って制御する。第２の誤り訂正符号が付加されたデータであれば、第２の誤り訂正および誤り訂正符号付加回路３１で誤り訂正を行う。誤り訂正不能が解消した場合は、再び第１の誤り訂正および誤り訂正符号付加回路４７で誤り訂正を行い、こちらでも誤り訂正不能が解消した場合は、データをデスクランブル回路８、ＡＴＡＰＩ回路２９を介してホストコンピュータに出力する。訂正不能が解消しない場合はリトライを行う。第２の誤り訂正符号が付加されていないデータであればリトライを行い、再び第１の誤り訂正および誤り訂正符号付加回路４７で誤り訂正を行い、誤り訂正不能が解消した場合は、データをデスクランブル回路８、ＡＴＡＰＩ回路２９を介してホストコンピュータに出力する。更に、第２の誤り訂正および誤り訂正符号付加回路３１により第２の誤り訂正符号を付加する。また、第１の誤り訂正および誤り訂正符号付加回路４７で誤り訂正を行った際に、データの誤り数が或る閾値を越えたら第２の誤り訂正および誤り訂正符号付加回路３１により第２の誤り訂正符号を付加する。あるいは、第１の誤り訂正により１回で訂正できずにリトライを行った場合は第２の誤り訂正符号を付加する。
【００４２】
ＢＤにデータを記録する場合、ＡＴＡＰＩ回路２９を介してホストコンピュータから送られたデータに、まずスクランブル回路２８でスクランブルを施してＤＲＡＭ２６に格納する。次に第１の誤り訂正および誤り訂正符号付加回路４７によりＤＲＡＭ２６に格納したデータに第１の誤り訂正符号付加を行う。更に第２の誤り訂正符号付加を行う場合は、第１の誤り訂正符号付加を行った後にＤＲＡＭ２６からデータ読み出し、第２の誤り訂正符号を付加する。誤り訂正符号付加が完了したデータは、インタリーブ回路２５でインタリーブを施し、変調回路２４に送る。そして変調回路２４から光ピックアップ２２に１―７ＰＰ変調信号を送り、光ディスク２１に記録する。第２の誤り訂正符号付加を行った場合は、第２の誤り訂正符号が付加されているかどうかを示すフラグを光ディスク２１の所定の領域に記録する。
【００４３】
なお、第２の誤り訂正符号の付加は第１の誤り訂正符号付加を行った直後にＥＣＣブロック単位で行わずに、一連の記録が終了した後にまとめて行っても良い。
【００４４】
図８は本発明の第３の実施例であるＢＤ記録再生装置の誤り訂正および誤り訂正符号付加処理手順を示すフローチャートである。
【００４５】
ＢＤからデータを読み出してＤＲＡＭに格納し、第１の誤り訂正符号により誤り訂正を行う。誤り訂正結果が訂正不能でなければ誤り訂正処理を終了するが、訂正不能の場合は所定の領域に記録された第２の誤り訂正符号が付加されているかどうかを示すフラグを読み出し、それに従って制御する。第２の誤り訂正符号が付加されていないデータであれば、リトライへ移行し、リトライで訂正不能が解消した場合は第２の誤り訂正系列に従ってＤＲＡＭからデータを読み出し、第２の誤り訂正符号およびフラグ付加を行う。第２の誤り訂正符号が付加されたデータであれば、第２の誤り訂正符号を読み出し、第２の誤り訂正回路で誤り訂正を行う。誤り訂正不能が解消した場合は、再び第１の誤り訂正回路で誤り訂正を行い、こちらでも誤り訂正不能が解消した場合は、誤り訂正処理を終了する。訂正不能が解消しない場合はリトライへ移行する。また、リトライを必要とせず１回でデータ再生が完了した場合でも、データの誤り数が或る閾値を越えたら第２の誤り訂正符号およびフラグを付加するようにする。
【００４６】
以上の構成により本発明の第３の実施例では、まず第１の誤り訂正符号による誤り訂正を行い、誤り訂正不能が発生した場合は第２の誤り訂正符号を読み出し、第２の誤り訂正符号による誤り訂正を行う。第２の誤り訂正符号が付加されてなく、リトライで訂正不能が解消した場合、あるいは１度も訂正不能が発生しなくてもデータの誤り数が或る閾値を越えた場合は、第２の誤り訂正符号およびフラグを付加するため、データの信頼性を高めることができる。
【００４７】
なお、上記各実施例では、本発明をＢＤ再生装置およびＢＤ記録再生装置に適用した場合を例として説明したが、本発明は上記各実施例に限定されるものではなく、その主旨を逸脱しない範囲で種々に変形して実施することができるものである。
【図面の簡単な説明】
【００４８】
【図１】第１の実施例のＢＤ再生装置の構成を示すブロック図である。
【図２】第１の実施例のＢＤ再生装置の誤り訂正処理手順を示すフローチャートである。
【図３】第１の実施例の光ディスクのデータ配置を示す図である。
【図４】第１の実施例の光ディスクのＥＣＣブロック構造を示す図である。
【図５】第２の実施例のＢＤ記録再生装置の構成を示すブロック図である。
【図６】第２の実施例の誤り訂正符号付加手順を示すフローチャートである。
【図７】第３の実施例のＢＤ記録再生装置の構成を示すブロック図である。
【図８】第３の実施例の誤り訂正処理および誤り訂正符号付加手順を示すフローチャートである。
【符号の説明】
【００４９】
１…光ディスク、２…光ピックアップ、３…ＡＦＥ、４…復調回路、５…デインタリーブ回路、６…ＤＲＡＭ、７…第１の誤り訂正回路、８…デスクランブル回路、９…ＡＴＡＰＩ、１０…ＣＰＵ、１１…第２の誤り訂正回路
【図１】
2010176715.tif 000003
【図２】
2010176715.tif 000004
【図３】
2010176715.tif 000005
【図４】
2010176715.tif 000006
【図５】
2010176715.tif 000007
【図６】
2010176715.tif 000008
【図７】
2010176715.tif 000009
【図８】
2010176715.tif 000010